(57)【要約】【課題】外障子を閉じた状態でバランス調整が可能な上げ下げ窓を提供する。【解決手段】上下枠及び左右の縦枠を方形状に枠組みしてなる枠体内に上げ下げ可能な内外障子を納め、外障子４を室外側に、内障子を室内側に配置し、上枠１０は内部に内外障子を任意の高さ位置に停止可能に吊り下げるバランサ１３を備えてなる上げ下げ窓において、上枠１０は上面と室外面及び下面を有し、下面は外障子４の上辺に当接する気密材１５の取付部１１ｅを有すると共に、少なくとも取付部１１ｅより室外側を構成して上面との間に開口部１１ｆを形成し、開口部１１ｆを覆うカバー体１２を着脱自在に設けてなる。【選択図】図４
2006226020.tif 000002
【特許請求の範囲】
【請求項１】
上下枠及び左右の縦枠を方形状に枠組みしてなる枠体内に内外障子を納め、上記外障子を室外上方に、上記内障子を室内下方に配置し、上記上枠は少なくとも上記内障子をワイヤを介して任意の高さ位置に停止可能に吊り下げるバランサを内部に備えてなる上げ下げ窓において、
上記上枠は上面と室外面及び下面を有し、該下面は上記外障子の上辺に当接する気密材の取付部を有すると共に、少なくとも上記取付部より室外側を構成して上記上面との間に開口部を形成し、該開口部を覆うカバー体を着脱自在に設けてなることを特徴とする上げ下げ窓。
【請求項２】
上記上枠の下面は上記取付部よりも室外側を構成し、上記カバー体は上記上枠の室内面と上記取付部よりも室内側の下面とを構成してなることを特徴とする請求項１記載の上げ下げ窓。
【請求項３】
上記上枠の下面は上記取付部よりも室内側を構成する室内側部を有し、上記カバー体は室内面と上記室内側部を被覆する下面とを有してなることを特徴とする請求項１記載の上げ下げ窓。
【請求項４】
上記上枠の下面は上記取付部よりも室内側を構成する室内側部を有し、上記カバー体は上記上面から下面に渡って上枠の室内面を構成してなることを特徴とする請求項１記載の上げ下げ窓。
【請求項５】
上記上枠は室外面の上部または下部に上記下面側を室外側に開閉自在とするヒンジ部を有してなることを特徴とする請求項１〜４のいずれか１項に記載の上げ下げ窓。
【請求項６】
上記上枠は室外面の上部または下部に上記下面側を着脱自在とする連結部を有してなることを特徴とする請求項１〜４のいずれか１項に記載の上げ下げ窓。
【発明の詳細な説明】
【技術分野】
【０００１】
本発明は枠体内に内外障子を上げ下げ自在に納めた上げ下げ窓に関し、特に上枠内に設けられるバランサの調整や取り外しの容易な上げ下げ窓に関する。
【背景技術】
【０００２】
従来から、枠体の内部に内障子と外障子をそれぞれ上げ下げ自在に納めてなる上げ下げ窓が知られている。上げ下げ窓は通常、外障子が室外側に、内障子が室内側に配置される。また、上げ下げ窓においては、障子が上下方向に移動するため、枠体内の任意の高さ位置で障子を停止できるようにする機構が必要である。このような機構としては、特許文献１に示すように縦枠内にバランサを設けるものや、特許文献２に示すように上枠内にバランサを設けて障子を吊り下げるものなどが知られている。
【特許文献１】特開２００２−３０８５５号公報
【特許文献２】特許第３５０４１７８号公報
【０００３】
このうち、上枠内にバランサを設ける場合には、特許文献２に示されているように、上枠の室内側及び下側を大きく開放し、そこに室内面と下面を有するカバー材を取り外し自在に設けている。これにより、カバー材を外すことでバランサのバランス調整や上枠に対する着脱を容易に行うことができる。
【発明の開示】
【発明が解決しようとする課題】
【０００４】
しかし、従来の上げ下げ窓では、上枠の下面の略全体をカバー材により構成していたために、外障子と連係する部分、特に外障子に対する気密材の取付部もカバー材に設けられていた。したがって、バランサのバランス調整を行う場合には、外障子を閉じた状態よりも下げた上で、カバー材を取り外す必要があった。すなわち、外障子を開放状態として調整を行っていた。したがって、風雨の激しいときなどにはバランサの調整を行うことができなかった。
【０００５】
また、上枠にカバー材を設ける場合に、上げ下げ窓を金属材の室内側に樹脂材を配設してなる複合サッシとして構成することはできなかった。複合サッシの場合、枠体の室内面を構成するカバー材は樹脂により形成されることになる。しかし、障子と連係する気密材の取付部が樹脂であると強度が不足するため、そのままでは複合サッシとすることができなかった。
【０００６】
本発明は、上記課題を解決すべくなされたものであり、外障子を閉じた状態でバランス調整が可能な上げ下げ窓を提供することを目的とする。
【課題を解決するための手段】
【０００７】
上記課題を解決するため、本発明に係る上げ下げ窓は、上下枠及び左右の縦枠を方形状に枠組みしてなる枠体内に内外障子を納め、上記外障子を室外上方に、上記内障子を室内下方に配置し、上記上枠は少なくとも上記内障子をワイヤを介して任意の高さ位置に停止可能に吊り下げるバランサを内部に備えてなる上げ下げ窓において、
上記上枠は上面と室外面及び下面を有し、該下面は上記外障子の上辺に当接する気密材の取付部を有すると共に、少なくとも上記取付部より室外側を構成して上記上面との間に開口部を形成し、該開口部を覆うカバー体を着脱自在に設けてなることを特徴として構成されている。
【０００８】
また、本発明に係る上げ下げ窓は、上記上枠の下面は上記取付部よりも室外側を構成し、上記カバー体は上記上枠の室内面と上記取付部よりも室内側の下面とを構成してなることを特徴として構成されている。
【０００９】
さらに、本発明に係る上げ下げ窓は、上記上枠の下面は上記取付部よりも室内側を構成する室内側部を有し、上記カバー体は室内面と上記室内側部を被覆する下面とを有してなることを特徴として構成されている。
【００１０】
さらにまた、本発明に係る上げ下げ窓は、上記上枠の下面は上記取付部よりも室内側を構成する室内側部を有し、上記カバー体は上記上面から下面に渡って上枠の室内面を構成してなることを特徴として構成されている。
【００１１】
そして、本発明に係る上げ下げ窓は、上記上枠は室外面の上部または下部に上記下面側を室外側に開閉自在とするヒンジ部を有してなることを特徴として構成されている。
【００１２】
また、本発明に係る上げ下げ窓は、上記上枠は室外面の上部または下部に上記下面側を着脱自在とする連結部を有してなることを特徴として構成されている。
【発明の効果】
【００１３】
本発明に係る上げ下げ窓によれば、上枠の下面は外障子の上辺に当接する気密材の取付部を有し、少なくとも取付部より室外側を構成して上面との間に開口部を形成し、開口部を覆うカバー体を着脱自在に設けてなることにより、カバー体を取り外しても上枠の取付部に取付けられる気密材により外障子との気密性を確保することができるので、外障子を閉じたままでもカバー体を取り外してバランサのバランス調整を行うことができる。
【００１４】
また、本発明に係る上げ下げ窓によれば、上枠の下面は取付部よりも室外側を構成し、カバー体は上枠の室内面と取付部よりも室内側の下面とを構成してなることにより、カバー体を取り外した際の開口を室内面から下面に渡って形成することができるので、カバー体を取り外すことでバランサのバランス調整だけでなく取り外しも行えるように構成することができる。
【００１５】
さらに、本発明に係る上げ下げ窓によれば、上枠の下面は取付部よりも室内側を構成する室内側部を有し、カバー体は室内面と室内側部を被覆する下面とを有してなることにより、カバー体を上枠の一部である室内側部と重合状態とすることができ、カバー体と上枠を強固に固定することができる。
【００１６】
さらにまた、本発明に係る上げ下げ窓によれば、上枠の下面は取付部よりも室内側を構成する室内側部を有し、カバー体は上面から下面に渡って上枠の室内面を構成してなることにより、カバー体を取り外すことでバランサのバランス調整を容易に行うことができる。
【００１７】
そして、本発明に係る上げ下げ窓によれば、上枠は室外面の上部または下部に下面を室外側に開閉自在とするヒンジ部を有してなることにより、カバー体を取り外してさらにヒンジ部を介して下面を室外側に開放することができるので、バランサを容易に取り外すことができる。
【００１８】
また、本発明に係る上げ下げ窓によれば、上枠は室外面の上部または下部に下面側を着脱自在とする連結部を有してなることにより、カバー体を取り外してさらに上枠の下面を取り外すことができるので、バランサを容易に取り外すことができる。
【発明を実施するための最良の形態】
【００１９】
本発明の実施形態について、図面に沿って詳細に説明する。図１には、本実施形態における上げ下げ窓の内観斜視図を示す。この図に示すように、本実施形態における上げ下げ窓は、上枠１０と下枠２０及び左右の縦枠３０、３０を方形状に枠組みしてなる枠体１を建物開口部に設け、その内部に外障子４と内障子５をそれぞれ上げ下げ自在に納めてなるものである。外障子４と内障子５は、それぞれ上框４０と下框５０及び左右の縦框６０、６０を方形状に框組みした框体２の内部にガラス体３を納めてなるものである。外障子４は枠体１内で外側上方に、内障子５は枠体１内で内側下方に、それぞれ配置される。
【００２０】
図２には、上げ下げ窓の縦断面図を、図３には、上げ下げ窓の横断面図を、それぞれ示している。本実施形態の上げ下げ窓は、金属材の室内側面に樹脂材を配設して断熱性及び意匠性を向上させた複合サッシである。上枠１０は室外側の金属上枠１１と、その室内側面を覆うカバー体１２とから構成されている。上枠１０の構成については後で詳述する。下枠２０は室外側の金属下枠２１と、その室内側面を覆う樹脂下枠２２とから構成されている。縦枠３０は室外側の金属縦枠３１と、その室内側面を覆う樹脂縦枠３２とから構成されている。
【００２１】
また、外障子４と内障子５の框体２についても、金属材の室内側面に樹脂材が設けられている。上框４０では金属上框４１の室内側面に板状の樹脂上框４２が設けられ、下框５０では金属下框５１の室内側面に板状の樹脂下框５２が設けられる。さらに、縦框６０では金属縦框６１の室内側面に板状の樹脂縦框６２が設けられる。
【００２２】
外障子４の上框４０と内障子５の下框５０には、気密性及び水密性を確保するため、枠体１に設けられる気密材に当接する気密ライン２ａを形成している。上框４０において気密ライン２ａは、外障子４の金属上框４１の室内面上端部に略Ｌ字状として形成される。下框５０においては、内障子５の下框５０下端部が気密ライン２ａとなっている。
【００２３】
次に、上枠１０の構造について詳細に説明する。図４には、図２の上部拡大図を示している。この図に示すように、上枠１０は断面中空状に形成され、上述のように金属材からなる金属上枠１１とその室内側を覆うカバー体１２とから構成されている。金属上枠１１は、上枠１０の上面と室外面及び下面を構成しており、室内面には開口部１１ｆが形成される。この開口部１１ｆを覆うように設けられるカバー体１２は、上枠１０の室内面を構成する室内面部１２ａと、金属上枠１１の下面のうち取付部１１ｅよりも室内側を構成する室内側部１１ａを覆う被覆部１２ｂとから構成されている。
【００２４】
金属上枠１１は、上面を構成する上面構成部１１ｃと、室外面及び下面を構成する下部構成部１１ｄとの二部材からなり、これらはヒンジ部１１ｂを介して連結されている。上面構成部１１ｃは建物躯体に対して固定されており、下部構成部１１ｄはヒンジ部１１ｂを中心に室外側に向かって開閉自在に支持されている。また、下部構成部１１ｄの下面中央部には、外障子４の上框４０に形成された気密ライン２ａに当接する気密材１５を保持する取付部１１ｅが垂下されている。
【００２５】
カバー体１２は、樹脂材からなり、室内面部１２ａと被覆部１２ｂを断面略Ｌ字状に形成している。また、被覆部１２ｂの室外側端部は垂下されて、金属上枠１１の下面に形成された取付部１１ｅの室内面を覆う取付部被覆部１２ｃを形成している。また、カバー体１２は被覆部１２ｂの上部で金属上枠１１の上面室内端部に係合により固定され、被覆部１２ｂが重合状とされた金属上枠１１の下面に対してネジ止めにより固定されている。
【００２６】
外障子４の上框４０に設けられる樹脂上框４２は、金属上框４１の室内面において気密ライン２ａ近傍まで設けられており、上枠１０の取付部１１ｅと上框４０の気密ライン２ａは近接配置されることにより、共に樹脂材からなる取付部被覆部１２ｃと樹脂上框４２は近接配置されることになる。このため、室内側から見た場合に枠体１と外障子４間を樹脂材で略連続的に被覆しており、意匠性の高い上げ下げ窓とすることができる。
【００２７】
また、上枠１０の金属上枠１１とカバー体１２により形成される中空部には、外障子４と内障子５を枠体１の任意の高さ位置で停止可能とするためのバランサ１３が設けられる。バランサ１３は、上枠１０の両端部に設けられ、図示しないワイヤを介して外障子４と内障子５を吊り下げ、これらを上げ下げ自在としている。
【００２８】
バランサ１３のバランス調整は、その室内側面で行うことができるようにされている。したがって、バランス調整の際には、上枠１０の室内面が開放状態となっていればよい。図５には、図４においてカバー体１２を取り外した状態の図を示している。この図に示すように、上枠１０のカバー体１２を取り外すと、金属上枠１１の開口部１１ｆが開放された状態となり、バランサ１３の室内側面が室内側に露出する。したがって、カバー体１２を取り外して図５の状態とするだけで、バランサ１３のバランス調整を行うことができる。
【００２９】
また、外障子４と気密材１５を介して連係する取付部１１ｅは、金属上枠１１に形成されており、カバー体１２の有無に関係なく外障子４に対する気密をなすことができるので、バランサ１３のバランス調整は、外障子４を閉じた状態のままで行うことができる。
【００３０】
図６には、カバー体１２を取り外した状態における上げ下げ窓全体の斜視図を示している。この図からも分かるように、カバー体１２を金属上枠１１から取り外すと、バランサ１３の室内面が室内側に露出し、バランス調整を行うことができるようになる。バランサ１３は上枠１０の両端部にそれぞれ配置されており、縦枠３０に対して固定されている。そして、障子の両側をそれぞれワイヤを介して吊り下げている。
【００３１】
本実施形態で用いたバランサ１３は、断面が上枠１０の中空部の略全体に渡る大きさを有しているため、図５や図６の状態では上枠１０から取り外すことはできない。そこで、さらに金属上枠１１の下部構成部１１ｄをヒンジ部１１ｂを介して室外側に開放することで、バランサ１３を上枠１０から取り外すことができる。図７には、金属上枠１１の下部構成部１１ｄを開放した状態の図を示している。
【００３２】
図７に示すように、下部構成部１１ｄは、ヒンジ部１１ｂを中心に室外側に向かって開放する。このように下部構成部１１ｄを開放すると、バランサ１３の室内側及び下部に大きな開口が形成されるので、この開口からバランサ１３を取り外すことができるようになる。
【００３３】
本実施形態では、金属上枠１１を二部材で構成し、ヒンジ部１１ｂにより連結するようにしているが、ヒンジ部１１ｂによらずに下部構成部１１ｄを上面構成部１１ｃに対して着脱自在となるように構成してもよい。この場合には、上面構成部１１ｃと下部構成部１１ｄを係合またはネジ止めなどの手段により連結することができる。また、ヒンジ部１１ｂを設ける位置については、本実施形態では金属上枠１１の室外面上部としているが、これを室外面下部としてもよい。その場合でも、ヒンジ部１１ｂではなく係合またはネジ止めにより下部構成部１１ｄを上面構成部１１ｃに対して着脱自在としてもよい。
【００３４】
さらに、本実施形態では金属材の室内面に樹脂材を配設してなる複合サッシとして上げ下げ窓を構成したが、樹脂材を配設しない金属サッシとして上げ下げ窓を構成することもできる。この場合には、上枠１０のカバー体１２を金属材とすることもできるが、複合サッシの場合と部品を共用化するために、カバー体１２については樹脂で構成するようにしてもよい。
【００３５】
次に、本発明の第２の実施形態について説明する。本実施形態における上げ下げ窓の基本構成は、第１の実施形態の上げ下げ窓と同様である。図８には、本実施形態における上げ下げ窓の上部拡大図を示している。本実施形態における上枠１０は、金属上枠１１が上面と室外面及び下面の取付部１１ｅよりも室外側を構成し、カバー体が室内面及び下面の取付部１１ｅよりも室内側を構成している。すなわち、第１の実施形態の上枠１０と異なり、金属上枠１１は下面に室内側部１１ａを有しておらず、取付部１１ｅより室外側のみを構成している。
【００３６】
金属上枠１１は、その他の構成は第１の実施形態と同様である。すなわち、金属上枠１１は上面を構成する上面構成部１１ｃと、室外面及び下面を構成する下部構成部１１ｄとをヒンジ部１１ｂを介して連結したもので、このヒンジ部１１ｂを介して下部構成部１１ｄを室外側に開閉自在としている。カバー体１２は樹脂からなり、金属上枠１１の上面室内側端部に係合し、また金属上枠１１の取付部１１ｅの室内側面を覆うと共に、係合して固定される。このため、カバー体１２は、金属上枠１１に対して着脱自在とされる。
【００３７】
バランサ１３のバランス調整を行う際には、カバー体１２を金属上枠１１から取り外すことで、容易にバランサ１３の室内側面を露出させることができる。また、バランサ１３を取り外す際には、カバー体１２を金属上枠１１から取り外した上で、金属上枠１１の下部構成部１１ｄをヒンジ部１１ｂを中心に室外側に開放し、金属上枠１１の室内側及び下部に大きな開口を形成することで、容易にバランサ１３を取り外すことができる。
【００３８】
本実施形態においても、第１の実施形態と同様に、金属上枠１１の上面構成部１１ｃと下部構成部１１ｄをヒンジ部１１ｂを介して連結するのではなく、係合またはネジ止めにより連結するようにしてもよい。また、上面構成部１１ｃで上枠１０の上面及び室外面を構成するようにしてもよい。さらに、本実施形態においては、カバー体１２で上枠１０の室内面及び下面の取付部１１ｅよりも室内側を構成しているので、第１の実施形態に比べると金属上枠１１の開口部１１ｆが大きい。図８に示したものは、カバー体１２を取り外すだけではバランサ１３を取り外すことはできないが、バランサ１３としてより小型なものを用いることにより、カバー体１２を取り外すだけで、バランサ１３の調整だけでなく取り外しもできるように構成することができる。
【００３９】
また、樹脂材を配設しない金属サッシとして上げ下げ窓を構成することもでき、この場合には、上枠１０のカバー体１２を金属材とすることもできるが、複合サッシの場合と部品を共用化するために、カバー体１２については樹脂で構成するようにしてもよい。
【００４０】
次に、本発明の第３の実施形態について説明する。本実施形態における上げ下げ窓は、框体２を金属材のみから構成する金属サッシである。図９には、本実施形態における上げ下げ窓の上部拡大図を示している。本実施形態における上枠１０は、金属上枠１１が上面と室内面及び下面を構成し、金属からなるカバー体１２が室内面を構成している。この金属上枠１１は、取付部１１ｅよりも室内側の下面を構成する室内側部１１ａを有しており、第１の実施形態と異なりカバー体１２には被覆されない。
【００４１】
金属上枠１１は、その他の構成は第１の実施形態と同様である。すなわち、金属上枠１１は上面を構成する上面構成部１１ｃと、室外面及び下面を構成する下部構成部１１ｄとをヒンジ部１１ｂを介して連結したもので、このヒンジ部１１ｂを介して下部構成部１１ｄを室外側に開閉自在としている。カバー体１２は樹脂からなり、金属上枠１１の上面室内側端部と、下面の室内側部１１ａの室内側端部とにそれぞれ係合して固定される。このため、カバー体１２は、金属上枠１１に対して着脱自在とされる。
【００４２】
バランサ１３のメンテナンスを行う際には、カバー体１２を金属上枠１１から取り外すことで、容易にバランサ１３の室内側面を露出させることができる。また、バランサ１３を取り外す際には、カバー体１２を金属上枠１１から取り外した上で、金属上枠１１の下部構成部１１ｄをヒンジ部１１ｂを中心に室外側に開放し、金属上枠１１の室内側及び下部に大きな開口を形成することで、容易にバランサ１３を取り外すことができる。
【００４３】
本実施形態においても、第１の実施形態と同様に、金属上枠１１の上面構成部１１ｃと下部構成部１１ｄをヒンジ部１１ｂを介して連結するのではなく、係合またはネジ止めにより連結するようにしてもよい。また、上面構成部１１ｃで上枠１０の上面及び室外面を構成するようにしてもよい。
【００４４】
以上、本発明の実施形態について説明したが、本発明の適用は本実施形態には限られず、その技術的思想の範囲内において様々に適用されうるものである。例えば、本実施形態では外障子４と内障子５のいずれもがバランサ１３にワイヤを介して吊り下げられ、上げ下げ自在とされたいわゆるダブルハング式のものを示したが、外障子４側は金具等で固定し、内障子５のみを上げ下げ自在としたシングルハング式のものであってもよい。この場合には、バランサ１３のバランス調整を行う際には、外障子４はそのままの状態でよいが、バランサ１３を上枠１０から取り外す際には、外障子４の金具による固定を解除することが必要である。また、外障子４と内障子５のいずれもが上げ下げ自在な場合においては、これらが連動して上下するものであってもよいし、それぞれ独立して上下するものであってもよい。
【図面の簡単な説明】
【００４５】
【図１】本実施形態における上げ下げ窓の内観斜視図である。
【図２】本実施形態における上げ下げ窓の縦断面図である。
【図３】本実施形態における上げ下げ窓の横断面図である。
【図４】図２の上部拡大図である。
【図５】図４においてカバー体を取り外した状態の図である。
【図６】図５の状態における上げ下げ窓の内観斜視図である。
【図７】図５において上枠の下部構成部をヒンジ部を介して開放した状態の図である。
【図８】第２の実施形態における上げ下げ窓の上部拡大図である。
【図９】第３の実施形態における上げ下げ窓の上部拡大図である。
【符号の説明】
【００４６】
１    枠体
２    框体
２ａ  気密ライン
３    ガラス体
４    外障子
５    内障子
１０    上枠
１１    金属上枠
１１ａ  室内側部
１１ｂ  ヒンジ部
１１ｃ  上面構成部
１１ｄ  下部構成部
１１ｅ  取付部
１１ｆ  開口部
１２    カバー体
１２ａ  室内面部
１２ｂ  被覆部
１２ｃ  取付部被覆部
１３    バランサ
１５    気密材
【図１】
2006226020.tif 000003
【図２】
2006226020.tif 000004
【図３】
2006226020.tif 000005
【図４】
2006226020.tif 000006
【図５】
2006226020.tif 000007
【図６】
2006226020.tif 000008
【図７】
2006226020.tif 000009
【図８】
2006226020.tif 000010
【図９】
2006226020.tif 000011